(57)【要約】【課題】表示パネルのビデオ配線と信号配線との間に生じる寄生容量を削減する。【解決手段】映像信号サンプリング用のスイッチ素子ＴＧは、横方向の幅寸法が各画素の横方向の幅寸法に対応した信号配線Ｙの間隔に比べて大きい。幅寸法の広いスイッチ素子ＴＧを間隔の狭い信号配線Ｙに対応させるため、スイッチ素子ＴＧは縦方向に複数段重ねて配されている。各スイッチ素子Ｙは、横方向に配されたビデオ配線１００から縦方向に分岐した分岐配線Ｓに接続する入力端子と、対応する縦方向の信号配線Ｙに接続する出力端子とを有する。スイッチ素子ＴＧ４の入力端子に接続する分岐配線Ｓ４と、これに隣接し且つ他のスイッチ素子ＴＧ３の出力端子に接続する信号配線Ｙ３との間に生じる寄生容量を削減するため、互いに隣接する分岐配線Ｓ４と信号配線Ｙ３との間に所定の電位Ｖｃｏｍに保持されたシールド配線１２を介在させる。【選択図】図６
2005274990.tif 000002
【特許請求の範囲】
【請求項１】
横方向に配されたゲート配線、縦方向に配された信号配線及び各ゲート配線と各信号配線が交差する部分に配された各画素からなる画素アレイ部と、
各ゲート配線に接続し垂直走査期間で各画素を線順次選択する垂直走査回路と、
外部から供給された映像信号を取り入れる横方向に配されたビデオ配線と、
該ビデオ配線と各信号配線との間に接続された複数のスイッチ素子と、
水平走査期間で各スイッチ素子を順次オンして該ビデオ配線から映像信号を各信号配線に順次サンプリングし、以って選択された行の画素に映像信号を書き込む水平走査回路とを備えた表示装置において、
前記スイッチ素子は、横方向の幅寸法が各画素の横方向の幅寸法に対応した信号配線の間隔に比べて大きく、
幅寸法の広いスイッチ素子を間隔の狭い信号配線に対応させるため、前記スイッチ素子は縦方向に複数段重ねて配されており、
各スイッチ素子は、横方向に配されたビデオ配線から縦方向に分岐した分岐配線に接続する入力端子と、対応する縦方向の信号配線に接続する出力端子とを有し、
あるスイッチ素子の入力端子に接続する分岐配線と、これに隣接し且つ他のスイッチ素子の出力端子に接続する信号配線との間に生じる寄生容量を削減するため、
互いに隣接する該分岐配線と該信号配線との間に所定の電位に保持されたシールド配線を介在させることを特徴とする表示装置。
【請求項２】
互いに隣接する分岐配線と信号配線との間に生じる寄生容量は、対応するスイッチ素子の位置に応じて大小の差があり、
前記シールド配線は、寄生容量の大きな分岐配線と信号配線との間に選択的に配されており、以って各分岐配線と信号配線との間に生じる寄生容量の差を低減化することを特徴とする請求項１記載の表示装置。
【請求項３】
前記水平走査回路は、複数段に重ねられたスイッチ素子の組を同時にオンして該ビデオ配線から映像信号を対応する信号配線にサンプリングすることを特徴とする請求項１記載の表示装置。
【発明の詳細な説明】
【技術分野】
【０００１】
本発明はアクティブマトリクス型の表示装置に関する。より詳しくは、外部から映像信号を取り入れるビデオ配線と、各画素に映像信号を分配する信号配線との間に生じる寄生容量を抑制する技術に関する。
【背景技術】
【０００２】
フラット型の表示装置（以下表示パネル）は、画面を構成する画素アレイ部とその周辺に配された垂直走査回路及び水平走査回路とで構成されているのが一般的である。画素アレイ部は、横方向に配されたゲート配線、縦方向に配された信号配線、及び各ゲート配線と各信号配線が交差する部分に配された各画素からなる。垂直走査回路は各ゲート配線に接続し、垂直走査期間で各画素を線順次選択する。
【０００３】
表示パネルは横方向に配されたビデオ配線を備えており、外部から供給された映像信号を取り入れる。このビデオ配線と各信号配線との間には複数のスイッチ素子が接続されている。ここで水平走査回路は、水平走査期間で各スイッチ素子を順次オンしてビデオ配線から映像信号を各信号配線に順次サンプリングし、以って選択された行の画素に映像信号を書き込む。
【特許文献１】特開２００２−４９０５２号公報
【発明の開示】
【発明が解決しようとする課題】
【０００４】
表示パネルの小型化及び高精細化に伴い、画素ピッチの縮小化が進んでいる。この為周辺回路も狭ピッチ化が進み、映像信号サンプリング用のスイッチ素子は、画素と１：１でレイアウトすることが厳しくなっている。そこで、小型で高精細な表示パネルではスイッチ素子を複数段積みすることによってレイアウトを行なっている。すなわち、小型高精細の表示パネルでは、スイッチ素子の横方向の幅寸法が、各画素の横方向の幅寸法に対応した信号配線の間隔に比べて相対的に大きい。幅寸法の広いスイッチ素子を間隔の狭い信号配線に対応させる為、スイッチ素子は縦方向に複数段重ねて配する。
【０００５】
各スイッチ素子は例えばトランスミッションゲート素子からなり、入力端子と出力端子と制御用のゲート端子とを備えている。入力端子は、横方向に配されたビデオ配線から縦方向に分岐した分岐配線に接続している。出力端子は対応する縦方向の信号配線と接続している。ゲート端子は水平走査回路に接続している。ここでスイッチ素子を複数段縦に重ねて配列した構成では、あるスイッチ素子の入力端子に接続する分岐配線と、これに隣接し且つ他のスイッチ素子の出力端子に接続する信号配線との間に寄生容量が生じる。この寄生容量を通じて、分岐配線に生じる映像信号の電位変動がこれに隣接する信号配線にノイズとして飛び込み、その電位の変動をもたらす。これにより、画素アレイ部に表示される画像に縦スジなどの表示欠陥が現われ、これが解決すべき課題となっている。
【課題を解決するための手段】
【０００６】
上述した従来の技術の課題に鑑み、本発明は表示パネルのビデオ配線と信号配線との間に生じる寄生容量を削減することを目的とする。係る目的を達成する為に以下の手段を講じた。即ち、横方向に配されたゲート配線、縦方向に配された信号配線及び各ゲート配線と各信号配線が交差する部分に配された各画素からなる画素アレイ部と、各ゲート配線に接続し垂直走査期間で各画素を線順次選択する垂直走査回路と、外部から供給された映像信号を取り入れる横方向に配されたビデオ配線と、該ビデオ配線と各信号配線との間に接続された複数のスイッチ素子と、水平走査期間で各スイッチ素子を順次オンして該ビデオ配線から映像信号を各信号配線に順次サンプリングし、以って選択された行の画素に映像信号を書き込む水平走査回路とを備えた表示装置において、前記スイッチ素子は、横方向の幅寸法が各画素の横方向の幅寸法に対応した信号配線の間隔に比べて大きく、幅寸法の広いスイッチ素子を間隔の狭い信号配線に対応させるため、前記スイッチ素子は縦方向に複数段重ねて配されており、各スイッチ素子は、横方向に配されたビデオ配線から縦方向に分岐した分岐配線に接続する入力端子と、対応する縦方向の信号配線に接続する出力端子とを有し、あるスイッチ素子の入力端子に接続する分岐配線と、これに隣接し且つ他のスイッチ素子の出力端子に接続する信号配線との間に生じる寄生容量を削減するため、互いに隣接する該分岐配線と該信号配線との間に所定の電位に保持されたシールド配線を介在させることを特徴とする。
【０００７】
具体的には、互いに隣接する分岐配線と信号配線との間に生じる寄生容量は、対応するスイッチ素子の位置に応じて大小の差があり、前記シールド配線は、寄生容量の大きな分岐配線と信号配線との間に選択的に配されており、以って各分岐配線と信号配線との間に生じる寄生容量の差を低減化する。又、前記水平走査回路は、複数段に重ねられたスイッチ素子の組を同時にオンして該ビデオ配線から映像信号を対応する信号配線にサンプリングする
【発明の効果】
【０００８】
映像信号サンプリング用のスイッチ素子を複数段積みにすると、ビデオ配線を各スイッチ素子に導く分岐配線とこれに隣接する信号配線との間の寄生容量が、各段で異なる様になる。寄生容量が他の段に比べて大きい部分では、ビデオ配線上の映像信号の電位変動が大きな寄生容量を介して隣接する信号配線に飛び込みその顕著な電位変動をもたらす。電位変動が他の信号配線に比べて大きいとその部分が縦スジ状の画像欠陥となって現われる。そこで本発明では、ビデオ配線から分岐した分岐配線とこれに隣接する信号配線との間に固定電位に接続されたシールド配線を挿入することで、両者を電気的に分離し、信号配線電位の変動を抑えている。これにより、従来問題となっていた縦スジ欠陥を顕著に抑制することができた。
【発明を実施するための最良の形態】
【０００９】
以下図面を参照して本発明の実施の形態を詳細に説明する。まず本発明の背景を明らかにする為、図１を参照して表示装置の一般的な構成を簡潔に説明する。図示する様に、この表示装置はデコーダ／ドライバ２０１と、アクティブマトリクス型の表示パネル２０２と、タイミングジェネレータ２０３とで構成されている。デコーダ／ドライバ２０１はビデオ信号ＶＩＤＥＯをデコード処理し６系統の映像信号ＳＩＧ１〜ＳＩＧ６を作成するとともに、同期信号ＳＹＮＣを分離する。更にデコーダ／ドライバ２０１は１水平期間（１Ｈ）で映像信号ＳＩＧの極性反転処理を行ない、交流化映像信号を出力する。表示パネル２０２は横方向に伸びた行状のゲート線、縦方向に伸びた列状の信号配線、及び両者の交差部に設けた画素を備えている。又垂直走査回路及び水平走査回路を内蔵している。垂直走査回路はゲート配線を順次走査して画素を選択する。水平走査回路は１Ｈ毎に交流化映像信号を信号配線に順次サンプリングし、選択された画素に交流化映像信号を書き込む。タイミングジェネレータ２０３は同期信号ＳＹＮＣに応じて動作し、デコーダ／ドライバ２０１に対し交流化信号ＦＲＰを供給して極性反転処理のタイミング制御を行なう。又、デコーダ／ドライバ２０１に対しサンプルホールド信号ＳＨＰを供給し、映像信号の遅延処理を制御している。すなわち、デコーダ／ドライバ２０１は画素の配列ピッチに応じ６系統の映像信号ＳＩＧ１〜ＳＩＧ６を相対的に遅延処理して液晶表示パネル２０２に供給している。タイミングジェネレータ２０３は更に、ＨＳＴ，ＨＣＫ，ＶＳＴ，ＶＣＫなどのタイミング信号を表示パネル２０２に供給し、垂直走査回路及び水平走査回路の動作制御を行なう。
【００１０】
図２は、図１に示した表示パネルの構成例を示す模式図である。図示する様に、表示パネルは横方向に配されたゲート配線Ｘ１，Ｘ２，Ｘ３，Ｘ４，・・・と、縦方向に配された信号配線Ｙ０，Ｙ１，Ｙ２，Ｙ３，Ｙ４，・・・とを備えており、両者の交差部に画素１，２，３，４，・・・が設けられている。各画素は対応する薄膜トランジスタによりスイッチング駆動される。薄膜トランジスタのゲート電極は対応するゲート配線Ｘに接続され、ソース電極は対応する信号配線Ｙに接続され、ドレイン電極は対応する画素に接続されている。この表示パネルは６本のビデオ配線１００を備えており、外部のデコーダ／ドライバから供給される合計６個の映像信号ＳＩＧ１，ＳＩＧ２，・・・，ＳＩＧ６をそれぞれ受け入れる。個々の信号配線Ｙは６本を１単位（例えばＹ１〜Ｙ６）として水平スイッチ素子ＨＳＷを介して所定のビデオライン１００に接続されている。
【００１１】
以上の構成に加え、表示パネルは垂直走査回路１０１と水平走査回路１０２を内蔵している。垂直走査回路１０１は外部のタイミングジェネレータから供給される垂直クロック信号ＶＣＫに応答して動作し、同じくタイミングジェネレータから供給される垂直スタートパルスＶＳＴを順次転送することでゲートパルスＶ１，Ｖ２，Ｖ３，Ｖ４・・・を生成しゲート配線Ｘを１本ずつ走査して画素を行毎に選択する。一方、水平走査回路１０２は同じくタイミングジェネレータから供給される水平クロック信号ＨＣＫに応答して動作し、タイミングジェネレータから入力される水平スタートパルスＨＳＴを転送することで順次駆動パルスＤＰ０，ＤＰ１，ＤＰ２，ＤＰ３，・・・を出力し対応する水平スイッチ素子ＨＳＷ０，ＨＳＷ１，ＨＳＷ２，ＨＳＷ３，・・・を開閉制御して、６本の信号配線Ｙを１単位としてまとめ駆動する。すなわち、６系統の映像信号ＳＩＧ１，・・・，ＳＩＧ６をそれぞれ対応する信号配線Ｙ（例えばＹ１〜Ｙ６）に一斉サンプリングする。
【００１２】
係る複数画素同時サンプリング駆動を行なう際、６系統の映像信号ＳＩＧ１〜ＳＩＧ６にあらかじめ画素ピッチに対応する遅延量を相対的に与える為、サンプルホールド回路がデコーダ／ドライバに設けられている。６系統の映像信号を逐次サンプルホールドして画素ピッチに対応する遅延量を相対的に与えるとともに、水平スイッチ素子ＨＳＷを６本の信号配線の組を単位として同時に開閉制御することにより、この水平スイッチ素子を駆動する水平走査回路に含まれるシフトレジスタの段数を削減して構成を簡単にするとともに消費電力も削減して、良好な画像表示が得られる様にしている。各水平スイッチＨＳＷはシフトレジスタから出力される駆動パルスＤＰで開閉制御される構成になっているので、水平走査回路１０２のシフトレジスタの段数は１／６になる。又、タイミングジェネレータから供給される水平クロック信号ＨＣＫの周波数も１／６になる。
【００１３】
６画素同時サンプリング駆動を行なった場合のサンプルホールドタイミングを図３に示す。６系統の映像信号に画素の配列ピッチに応じた相対的な遅延量を付与する為、デコーダ／ドライバ内でサンプルホールド処理が行なわれる。これに用いるサンプルホールドパルスＳＨＰは、水平方向の解像度を確保する為、６画素同時サンプリングの場合、水平クロック信号ＨＣＫの半周期内に６個のパルスが必要である。尚最後の６発目のパルスの立ち下がりで６系統の映像信号の一括サンプリングが行なわれ、表示パネルに供給される。前述した様に、表示パネルは駆動パルスＤＰ１，ＤＰ２，・・・に応じて６系統の映像信号を一括して６本の信号配線に分配する。尚、同時サンプリング駆動を行なう画素数は６に限られるものではなく、適宜設定可能である。
【００１４】
図４は、図２に示した表示パネルの画素アレイ部の具体的な構成例を示す模式図である。図示する様に、本画素アレイ部は、横方向に配されたゲート配線Ｘ１，Ｘ２，Ｘ３，Ｘ４、縦方向に配された信号配線Ｙ１，Ｙ２，Ｙ３，Ｙ４及び各ゲート配線Ｘと各信号配線Ｙが交差する部分に配された画素１１から構成されている。各画素１１は液晶素子ＬＣとこれを駆動する薄膜トランジスタＴＦＴとで構成されている。又液晶素子ＬＣと平行に信号保持用の補助容量Ｃｓも接続されている。薄膜トランジスタＴＦＴのゲート電極は対応するゲート配線Ｘに接続され、ソース電極は対応する信号配線Ｙに接続され、ドレイン電極は対応する液晶素子ＬＣの一方の電極（画素電極）に接続されている。液晶素子ＬＣの他方の電極（対向電極）は所定の対向電位Ｖｃｏｍに接続されている。係る構成を有する画素アレイ部は対向電位Ｖｃｏｍに接続されたシールド配線１２で囲まれている。
【００１５】
本実施形態では、水平スイッチ素子としてＣＭＯＳトランジスタで構成されたトランスミッションゲート素子ＴＧを用いている。１番目の信号配線Ｙ１は１番目のトランスミッションゲート素子ＴＧ１を介して映像信号ＳＩＧ１が割り当てられたビデオ配線に接続されている。同様にして、信号配線Ｙ２はトランスミッションゲート素子ＴＧ２を介して映像信号ＳＩＧ２が割り当てられたビデオ配線に接続している。信号配線Ｙ３はＴＧ３を介して映像信号ＳＩＧ３が割り当てられたビデオ配線に接続している。更に信号配線Ｙ４はＴＧ４を介して映像信号ＳＩＧ４が割り当てられたビデオ配線に接続している。
【００１６】
図４に示した画素アレイ構成では、画素１１の配列ピッチと水平スイッチ素子ＴＧの配列ピッチが１：１で対応している。現在表示パネルの小型化及び高精細化に伴い、画素ピッチの縮小化が進んでいる。この為、周辺回路も狭ピッチ化が進み、スイッチ素子ＴＧについても画素１１と１：１でレイアウトすることが厳しくなっている。そこで、小型で高精細な表示パネルでは、図５に示す様に水平スイッチ素子を複数段積みすることによってレイアウトを行なっている。図５に示す様に、スイッチ素子ＴＧは横方向の幅寸法が各画素の横方向の幅寸法に対応した信号配線Ｙの間隔に比べて大きく、幅寸法の広いスイッチ素子ＴＧを間隔の狭い信号配線Ｙに対応させる為、スイッチ素子ＴＧは縦方向に複数段重ねて配されている。図５の例は、スイッチ素子ＴＧを３段重ねしている。すなわちＴＧ１，ＴＧ２，ＴＧ３を一組として縦方向に３段重ねしている。同様にＴＧ４，ＴＧ５及びＴＧ６を縦方向に３段重ねしている。６個のスイッチ素子ＴＧ１〜ＴＧ６は水平走査回路（図示せず）から供給される選択パルスＤＰ１によって一斉に開閉駆動され、６本のビデオ配線１００から供給される６個の映像信号ＳＩＧ１〜ＳＩＧ６をそれぞれ対応する６本の信号配線Ｙ１〜Ｙ６にサンプリングしている。
【００１７】
スイッチ素子ＴＧは選択パルスＤＰの印加されるゲート端子に加え、入力端子と出力端子を備えている。スイッチ素子ＴＧの入力端子は、横方向に配されたビデオ配線１００から縦方向に分岐した分岐配線Ｓに接続している。又出力端子は対応する縦方向の信号配線Ｙに接続している。例えばスイッチ素子ＴＧ１は入力端子側が分岐配線Ｓ１に接続され出力端子側が対応する信号配線Ｙ１に接続されている。これによりスイッチ素子ＴＧ１は選択パルスＤＰ１に応答してオンした時、ビデオ配線１００及び分岐配線Ｓ１を介して映像信号ＳＩＧ１を取り込み、入力配線Ｙ１側にサンプリングする。同様にスイッチ素子ＴＧ２は入力端子側が分岐配線Ｓ２に接続され出力端子側が信号配線Ｙ２に接続している。これにより、スイッチ素子ＴＧ２は映像信号ＳＩＧ２をサンプリングして対応する信号配線Ｙ２に書き込む。同様にＴＧ３は分岐配線Ｓ３を介して映像信号ＳＩＧ３を取り入れ、対応する信号配線Ｙ３にサンプリングする。以下同様にＴＧ４はＳ４とＹ４の間に接続され、ＴＧ５はＳ５とＹ５の間に接続され、ＴＧ６はＳ６とＹ６の間に接続されている。
【００１８】
図５の複数段積み構成では、あるスイッチ素子ＴＧの入力端子に接続する分岐配線Ｓと、これに隣接し且つ他のスイッチ素子の出力端子に接続する信号配線Ｙとの間に寄生容量が生じる。例えばＴＧ１の入力端子に接続する分岐配線Ｓ１とこれに隣接し且つＴＧ２の出力端子に接続する信号配線Ｙ２との間に寄生容量Ｃｐ２が生じている。すなわちＴＧ２及びＴＧ１を縦方向に段積みする為、分岐配線Ｓ１と信号配線Ｙ２が一部縦方向に平行する部位が生じ、これが寄生容量Ｃｐ２となっている。又、ＴＧ２の入力端子に接続する分岐配線Ｓ２とＴＧ３の出力端子に接続する信号配線Ｙ３も一部互いに平行する部分があり、寄生容量Ｃｐ１を構成している。更に、ＴＧ３の出力端子に接続する信号配線Ｙ３とＴＧ４の入力端子に接続する分岐配線Ｓ４も一部が互いに平行しており、寄生容量Ｃｐ３を構成している。Ｃｐ１及びＣｐ２に比べＣｐ３は互いに平行する分岐配線Ｓ４と信号配線Ｙ３の距離が長く、その分Ｃｐ３はＣｐ１及びＣｐ２よりも大きい。Ｃｐ１及びＣｐ２はほぼ同程度である。この様な寄生容量Ｃｐが介在すると、分岐配線Ｓ上の映像信号ＳＩＧの電位変動がノイズとなって隣接する信号配線Ｙに飛び込み、信号配線電位の変動をもたらす。特に寄生容量の大きい信号配線Ｙ３の電位変動は顕著となり、画素アレイ上で縦スジ状の表示欠陥となって現われる。スイッチ素子を複数段積みした場合、下段のＴＧに比べ上段のＴＧに接続された信号配線ほど大きな寄生容量が生じる。図５の例では、下段のＴＧ１に接続した信号配線Ｙ１はその周辺に他の分岐配線が存在しないので、寄生容量はほぼ０である。中段のＴＧ２に接続した信号配線Ｙ２はその寄生容量がＣｐ２である。上段のＴＧ３に接続した信号配線Ｙ３にはＣｐ１とＣｐ３の和が寄生容量として介在する。
【００１９】
図６は本発明に係る表示パネルの実施形態を示す模式図である。理解を容易にする為、図５に示した参考例と対応する部分には対応する参照番号を付してある。図示する様に本実施形態では、スイッチ素子ＴＧ４の入力端子に接続する分岐配線Ｓ４と、これに隣接し且つ他のスイッチ素子ＴＧ３の出力端子に接続する信号配線Ｙ３との間に生じる寄生容量（Ｃｐ３）を削減する為、互いに隣接する分岐配線Ｓ４と信号配線Ｙ３との間に所定の電位Ｖｃｏｍに保持されたシールド配線１２を介在させている。これにより、信号配線Ｙ３と分岐配線Ｓ４との間に存在していた大きな寄生容量Ｃｐ３を実質上０とすることができる。このシールド配線１２は、例えば図４に示した画素アレイ部を囲むシールド配線１２から一部分岐した部分を用いることができる。
【００２０】
図７は、各信号配線の寄生容量をまとめた表図であり、シールド無し（図５）とシールド有り（図６）とで比較したものである。信号配線Ｙ１，Ｙ４についてはシールド無し及びシールド有りの何れも、最下段のスイッチ素子の出力端子に接続されている為、寄生容量は実質上０である。中段のＴＧに接続した信号配線Ｙ２は隣接する分岐配線Ｓ１との間で寄生容量Ｃｐ２を持つ。同様にＹ５は隣接する分岐配線Ｓ４との間で寄生容量Ｃｐ２を持つ。これらの信号配線Ｙ２，Ｙ５と分岐配線Ｓ１，Ｓ４との間にはシールド配線が介在していない為、図５及び図６の例何れも寄生容量の値はＣｐ２となっている。上段のスイッチ素子の出力端子に接続した信号配線Ｙ３は、シールド無しの場合隣接する分岐配線Ｓ２との間で寄生容量Ｃｐ１を構成し、更に反対側で隣接する分岐配線Ｓ４との間で寄生容量Ｃｐ３を構成する。従って信号配線Ｙ３の合計寄生容量はＣｐ１＋Ｃｐ３である。信号配線Ｙ６についてもＳ５との間でＣｐ１を構成しＳ１との間でＣｐ３を構成するので、合計の寄生容量はＣｐ１＋Ｃｐ３となっている。一方シールド有りの場合、シールド配線の効果でＣｐ１＋Ｃｐ３のうちＣｐ３がほぼ実質的に０となる。従って、シールド有りでは信号配線Ｙ３，Ｙ６の寄生容量はＣｐ１に低減されている。以上の結果、シールド無しでは各信号配線における寄生容量の最大差はＣｐ１＋Ｃｐ３となるのに対し、シールド有りでは寄生容量の最大差はＣｐ１あるいはＣｐ２である。このＣｐ１とＣｐ２はほぼ等しい。この様に、シールドを設けることで寄生容量の最大差を大幅に縮減可能であり、この結果画素アレイ部に表示される画像の均一性が著しく改善できる。
【図面の簡単な説明】
【００２１】
【図１】表示装置の全体構成を示すブロック図である。
【図２】図１に示した表示装置に含まれる表示パネルの構成を示す回路図である。
【図３】図１に示した表示装置の動作説明に供するタイミングチャートである。
【図４】図２に示した表示パネルに含まれる画素アレイ部の具体的な構成を示す模式図である。
【図５】スイッチ素子を複数段積みした参考例を示す回路図である。
【図６】本発明に係る表示装置の実施形態を示す回路図である。
【図７】シールド無しとシールド有りで寄生容量を比較した表図である。
【符号の説明】
【００２２】
１１・・・画素、１２・・・シールド配線、１００・・・ビデオ配線、ＴＧ・・・スイッチ素子、Ｙ・・・信号配線、Ｓ・・・分岐配線、Ｃｐ・・・寄生容量
【図１】
2005274990.tif 000003
【図２】
2005274990.tif 000004
【図３】
2005274990.tif 000005
【図４】
2005274990.tif 000006
【図５】
2005274990.tif 000007
【図６】
2005274990.tif 000008
【図７】
2005274990.tif 000009